(57)【要約】【目的】自動車室内に備え付けの電源でも十分強力な清掃能力を有する掃除機であると共に、座席シートの洗浄乾燥を行える自動車室内清掃器具の提供を目的とする。【構成】  本発明の一実施例における自動車室内清掃器具は、円筒状の吸引口と吸引口の先端円周部の内側から内周の接線方向に、すなわち渦流を構成する方向に、空気を送風する複数の吐き出し口を有する送風吸引器具を有し、送風吸引器の吐き出し口に導通する空気供給管路と、送風吸引器の吸引口に導通する排気管路と、前記空気供給管路に送風し前記排気管路から空気を取り入れる送風機と、送風機の送風管路に洗浄液噴霧を供給する装置とから概略構成されている。【選択図】  図１
2005131349.tif 000002
【特許請求の範囲】
【請求項１】
円筒状の吸引口と、
吸引口の先端円周部の内側から内周の接線方向に、すなわち
渦流を構成する方向に、空気を送風する複数の吐き出し口を有する
送風吸引器具を設け、
送風吸引器の吐き出し口に導通する空気供給管路と、
送風吸引器の吸引口に導通する排気管路と、
送風機を設置し、
前記の排気管路を送風機の空気取り入れ口に接続し、
前記の空気供給管路を送風機の送風口に接続したことを特徴とする
自動車室内清掃器具。
【請求項２】
前記自動車室内清掃器具は、円筒状の吸引口の軸直角断面に対して、吸引口外部の方向に、吐き出し口の方向を２度〜１５度の範囲で傾斜させたことを特徴とする、請求項１に記載の自動車室内清掃器具。
【請求項３】
前記自動車室内清掃器具は、前記の空気供給管路の途中に、
洗浄液噴霧を供給する手段を設けたことを特徴とする請求項１、請求項２
に記載の自動車室内清掃器具。
【発明の詳細な説明】
【技術分野】
【０００１】  この発明は、自動車室内を清掃、洗浄、乾燥する器具に関する。
【背景技術】
【０００２】  従来、自動車室内の床面に付着した砂埃を清掃する掃除機として、自動車室内の１２Ｖｏｌｔ直流電源で作動する小型掃除機が使用されている。【０００３】  また、座席シートに付着した汚れの除去には、洗浄液スプレーとブラシを用いて汚れを浮き上がらせ、最後に乾燥した布で拭き取る方法が行われている。
【発明の開示】
【発明が解決しようとする課題】
【０００４】  しかしながら、従来使用されている自動車室内用の小型掃除機は、自動車室内の１２Ｖｏｌｔ直流電源で作動するため、パワーに制約があり、清掃能力が不十分である。【０００５】  掃除機の清掃能力を高めるために、家庭用掃除機では吸引口に隣接して空気吐き出し口を設け、掃除機の排気を吐き出し口に供給する空気循環方式が採用されている。しかしながら、従来の空気循環方式の掃除機では、線状の吸引口と線状の空気吐き出し口を隣接させているため、空気の流速を大きくできず、自動車室内清掃用の掃除機に適用しても、自動車室内の直流電源を用いる限り、清掃能力は大して向上しないことが予想される。【０００６】  また、従来座席シートの汚れ取りには、洗浄液スプレー、ブラシ、乾燥した布など複数の器具を用意しなければならず、その後片付けも手間である。
【課題を解決するための手段】
【０００７】  本発明は、上述した従来の機器や方法での課題を解決するためのもので、具体的には、自動車室内の直流電源を使用しても、十分な清掃能力を有する掃除器具の提供のみならず、同じ器具で座席シートの洗浄と乾燥を行える清掃器具の提供を目的とする。【０００８】  上述した課題を解決し、目的を達成するため、この発明に係わる自動車室内清掃器具は、請求項１の記載によれば、円筒状の吸引口と、吸引口の先端円周部の内側から、内周の接線方向、すなわち渦流を構成する方向に空気を送風する複数の吐き出し口を有する送風吸引器具を設け、送風吸引器の吐き出し口に導通する空気供給管路と、送風吸引器の吸引口に導通する排気管路と、送風機を設置し、前記の排気管路を送風機の空気取り入れ口に接続し、前記の空気供給管路を送風機の送風口に接続したことを特徴とする。【０００９】    また、この発明に係わる自動車室内清掃器具は、請求項２の記載によれば、円筒状の吸引口の軸直角断面に対して、吸引口外部の方向に、吐き出し口の方向を２度〜１５度の範囲で傾斜させたことを特徴とする。【００１０】  また、この発明に係わる自動車室内清掃器具は、請求項３の記載によれば、空気供給管路の途中に、洗浄液噴霧を供給する手段を設けことを特徴とする。
【発明の効果】
【００１１】  本発明請求項１に記載の自動車室内清掃器具によれば、円筒状の吸引口の先端内周の接線方向、すなわち渦流を構成する方向に複数の空気吐き出し口を設けているため、各吐き出し口から吐き出された空気の流れは、合流して流速が高まるだけでなく、吸引口は前記渦流の中央部に負圧を与え、上昇気流を発生させるため、自然界で見られる竜巻の発生メカニズムが実現されており、小さな竜巻で砂埃を吸い上げる。その結果、自動車室内の直流電源を用いても強力な清掃能力を有する清掃器具が実現される。【００１２】  また、本発明請求項２に記載の自動車室内清掃器具によれば、円筒状の吸引口の軸直角断面に対して、吸引口外部の方向に、吐き出し口の方向を２度〜１５度の範囲で傾斜させたことにより、砂埃に対して吐き出された空気をぶつけて、砂埃を舞い上がらせて吸引する効果を生み、清掃能力をさらに高める効果がある。【００１３】  さらに、本発明請求項２に記載の自動車室内清掃器具によれば、空気供給管路の途中に、洗浄液噴霧を供給する手段を設けたことにより、洗浄液の噴霧の小さな竜巻で洗浄するため、座席シートを効率よく洗浄できる。さらに、洗浄液の供給を停止すると、座席シートに付着した汚れと洗浄液を吸い上げ乾燥させる乾燥器具としての作用も有し、一つの器具で洗浄と乾燥を行える効果を有する。
【発明を実施するための最良の形態】
【００１４】  以下に図面を参照して本発明に係わる一実施の形態例を詳細に説明する。
なお、本発明は以下に説明する構成の相対位置、数値等に何ら限定されるものではなく、特に特定的な記載がない限り本発明の範囲を以下の記載に限定するものではない。【００１５】  ＜実施例＞
先ず、図１及び図２を参照して本発明の一実施例について説明する。図１は、本発明の一実施例における清掃器具構成要素の一つである送風吸引器具の一部断面構成図を示している。また、図２は、本発明の一実施例における清掃器具構成要素の一つである送風機と洗浄液噴霧供給装置の一部断面構成図を示している。【００１６】  先ず図１にしたがって送風吸引器具９０の構成を説明する。図１においてフランジ１の外端部外周には筒２が嵌合され、フランジ１の中央に穿設された穴３には、内筒４が嵌合されている。【００１７】  該フランジ１には、空気供給管路５の口元６が嵌着され、また排気管路７の口元８が嵌着されている。空気供給管路５から供給された空気は、フランジ１に穿設された貫通穴９を通って、該外筒２の内面と該内筒４の外面とで囲まれた空間１０に空気を供給するようになっている。また、該内筒４の内側の空間１２の空気は、該内筒４と該フランジ１に穿設された貫通穴１１を通って、排気管路７を介して排出されるようになっている。【００１８】  該フランジ１には、ハンドル１３がボルト１４によって取り付けられており、該ハンドル１３にはスライド式スイッチ１５が設けられている。【００１９】  該スライド式スイッチ１５はスライダー１６が設けてあり、スライダー１６が矢印ａおよびｂの方向に動き、「ＷＡＳＨ」「ＤＲＹ」「ＯＦＦ」の３位置に設定できるようになっている。該スライド式スイッチ１５の信号は、信号線１７を経由して、図２で後に説明する送風機の図示しない制御装置に伝達されるようになっている。【００２０】  該内筒４の先端部は、同図のＡ−Ａ視図に示すように、複数の吐き出し口１８、本実施例では８個の吐き出し口が円周等分に設けられている。また、該内筒４の軸直角断面内における該吐き出し口の方向は、該内筒４の内周円の接線方向に設定されている。【００２１】  また、同図Ｂ−Ｂ視図に示すように、該吐き出し口１８は、該内筒４の軸直角断面に対して、吸引口の外部の方向に角度θだけ傾斜して穿設されている。ここにθは２度から１５度の範囲に設定されている。【００２２】  次に、図２にしたがって、送風機９１の構成を説明する。図２において、送風機９１の主要構成は、送風機本体１９と送風機本体の空気取入口側に設けられた高い吸湿性を有するフィルター２０、該送風機本体１９と該フィルター２０を内包するケース２１、該ケース２１の一部を形成する吸気管路２２および送風管路２３から成り立っている。【００２３】  該送風機本体１９の空気取り入れ口と送風口には、それぞれ異物混入防止用の保護網２４、２５が取り付けられている。【００２４】  該フィルター２０の口元は、該ケース２１の内部に設けられた壁２６の穴２７に固定されており、該吸気管路２２を経由して吸引された空気は、矢印ｃ、矢印ｄの方向に流れ、該フィルター２０を通過して、該送風機本体１９の空気取入口に導かれるようになっている。【００２５】  また、該送風機本体１９の送風口側から送られる空気は、矢印ｅの方向に流れて該送風管路２３に導かれるようになっている。【００２６】  該空気供給管路５の端部の口元２８は、該送風管路２３に嵌着して接続され、また、該排気管路７の端部の口元２９は、該吸気管路２���に嵌着して接続されるようになっている。【００２７】  次に、洗浄液噴霧供給装置９２の構成と動作を、同図のＣ−Ｃ視図（ａ）およびＣ−Ｃ視図（ｂ）にしたがって説明する。該洗浄液噴霧供給装置９２は、該送風管路２３に嵌着して接続され、洗浄液噴射ノズル３０が該送風管路２３に挿入される。【００２８】  該洗浄液噴霧供給装置９２は、洗浄液噴射ノズル３０を先端部に有するノズル管３１、ノズル管に組み入れられ○で囲まれ図示されたチェック弁３２とチェック弁３３、洗浄液タンク３４、該洗浄液タンク３４の側面穴と該ノズル管３１の側面穴に装着されたシリンダー３５、該シリンダー３５の内面を軸方向に摺動するピストン３６、該ピストン３６を軸方向に往復動させる直線アクチュエータ３７、および洗浄液供給窓３８で構成される。【００２９】  該チェック弁３２、３３の詳細について説明する。該チェック弁３２は、球３９と直径の異なる管路４０、４１とで構成され、管路４０の直径は球３９の直径より小さく、管路４１の直径は球３９の直径より大きくしてある。また、該チェック弁３３は、球４２と直径の異なる管路４３、４４とで構成され、管路４３の直径は球４２の直径より小さく、管路４４の直径は球４２の直径より大きくしてある。【００３０】  洗浄液噴霧供給の動作について説明する。Ｃ−Ｃ視図（ａ）において、直線アクチュエータ３７によってシリンダー３５が矢印ｆ方向に移動すると、管路４０は負圧となって、該チェック弁３２は閉じ、該チェック弁３３は開く。言い換えれば、該球３９は管路を閉じ、該球４２は負圧で引かれて管路を開く。その結果、管路４３から洗浄液は矢印ｇの方向に引き込まれる。
次に、Ｃ−Ｃ視図（ｂ）に示すように、該直線アクチュエータ３７によって該ピストン３６が矢印ｈの方向に移動すると、球４２は管路を閉じ、球３９は管路を開いて矢印ｉの方向に洗浄液が供給される。その結果、ノズル３０から洗浄液の噴霧４５が該送風管路２３に供給される。【００３１】  図１で示したスライドスイッチ１５を「ＷＡＳＨ」の位置に設定すると、該直線アクチュエータ３６が該ピストン３６を連続的に往復どうさせて洗浄液の噴霧を連続的に供給するようになっている。【００３２】  次に、図１に戻って、本発明に基づく自動車室内清掃器具の作用と効果に関して説明する。【００３３】  図１において、スライドスイッチ１５のスライダー１６を「ＤＲＹ」の位置に設定すると、空気供給管路５を介して空間１０には乾燥空気が供給され、排気管路７を通して、空間１２の空気が排出される。【００３４】  空間１０に供給された乾燥空気は矢印ｊ、ｋの方向に流れ、吐き出し口１８から噴射される。複数の該吐き出し口１８からは、Ａ−Ａ視図の矢印１、ｍ、ｎに示すように吸引口内面の接線方向に噴射され、これらの噴射された乾燥空気は合流して矢印ｐで示すような渦流を形成する。【００３５】  また、該空間１２の空気は排出されているため、該空間１２は負圧となっており、該渦流は矢印ｑ、ｒ、ｓで示すような小規模な竜巻を形成して矢印ｕで示す方向に移動する。【００３６】  その結果、自動車室内の床面を清掃する場合には、床面の砂埃を、流速の大きい強い渦による小規模な竜巻で吸い上げることになり、自動車室内の電源を用いた場合でも十分な清掃能力を発揮する。【００３７】  さらには、図１のＢ−Ｂ視図の矢印ｖで示すように、該吐き出し口１８から噴射される空気の噴射方向は、床面にぶつかる方向に傾斜しているため、床面の砂埃を巻き上げて吸引する効果があり、清掃能力をさらに向上させている。【００３８】  本発明の清掃器具で自動車室内の座席シートの汚れ除去に適用する場合は、スライド式スイッチ１５のスライダー１６を「ＷＡＳＨ」の位置に設定する。その場合、空気供給管路５には洗浄液噴霧を混入させた空気が供給されるので、座席シートに洗浄液噴霧をぶつけて、渦流で洗浄しながら汚れを吸引する。【００３９】  加えて、座席シートの洗浄後シートに付着した洗浄液を除去乾燥させるには、再びスライド式スイッチ１５のスライダー１６を「ＤＲＹ」の位置に設定すれば、吸引乾燥器具として用いることができるので、乾燥した布などを用意する必要がない。【００４０】  すなわち、本発明による自動車室内清掃器具は、自動車室内の電源を用いても強力な清掃能力を有する掃除機となるだけでなく、座席シートの洗浄、乾燥を同一器具で行える極めて便利な器具を提供する。
【図面の簡単な説明】
【００４１】
【図１】本発明の一実施例における清掃器具構成要素の一つである送風吸引器具の一部断面構成図である。
【図２】本発明の一実施例における清掃器具構成要素の一つである送風機と洗浄液噴霧供給装置の一部断面構成図である。
【符号の説明】
【００４２】９０  送風吸引器具
９１  送風機
９２  洗浄液噴霧供給装置
１    フランジ
２    外筒
３    穴
４    内筒
５    空気供給管路
６    空気供給管路の口元
７    排気管路
８    排気管路の口元
９    貫通穴
１０  外筒の内面と内筒の外面とで囲まれた空間
１１  貫通穴
１２  内筒の内部空間
１３  ハンドル
１４  ボルト
１５  スライド式スイッチ
１６  スライダー
１７  信号線
１８  吐き出し口
１９  送風機本体
２０  フィルター
２１  ケース
２２  吸気管路
２３  送風管路
２４  保護網
２５  保護網
２６  壁
２７  穴
２８  空気供給管路の口元
２９  排気管路の口元
３０  ノズル
３１  ノズル管
３２  チェック弁
３３  チェック弁
３４  洗浄液タンク
３５  シリンダー
３６  ピストン
３７  直線アクチュエータ
３８  洗浄液供給窓
３９  球
４０  管路
４１  管路
４２  球
４３  管路
４４  管路
４５  洗浄液噴霧
【図１】
2005131349.tif 000003
【図２】
2005131349.tif 000004